(57)【要約】【課題】光コネクタの小型化を図ることを目的とする。【解決手段】ファイバ側光コネクタ２０は、光ファイバケーブル１０端部を保持するフェルール部２２と、ロック部２６とを備える。素子側光コネクタ３０は、光素子１５を収容保持する素子収容部３１と、フェルール部２２を挿入保持可能なスリーブ部３４と、このスリーブ部３４の外周囲に形成された被ロック部３６とを備える。両光コネクタ２０，３０の接続状態が、ロック部２６と被ロック部３６との係合により維持される。【選択図】図１
2005250027.tif 000002
【特許請求の範囲】
【請求項１】
光ファイバケーブルと光素子とを光学的に結合するための光コネクタ装置であって、
前記光ファイバケーブル端部を保持するフェルール部と、前記フェルール部の外周囲に形成されたロック部とを有するファイバ側光コネクタと、
前記光素子を収容保持する素子収容部と、前記フェルール部の端部に露出する光ファイバ端面を、前記光素子の光結合面に対向させた姿勢で、前記フェルール部を挿入保持可能なスリーブ部と、前記スリーブ部の外周囲に形成され前記ロック部と係合可能な被ロック部とを有する素子側光コネクタと、
を備えた光コネクタ装置。
【請求項２】
請求項１記載の光コネクタ装置であって、
前記ロック部は、前記フェルール部の外周囲に突設された突状ロック部であり、
前記スリーブ部の内周囲に前記突状ロック部をその軸方向に沿って挿入可能なロック溝が形成され、
前記被ロック部は、前記スリーブ部の内周側であって前記ロック溝に対する前記突状ロック部の挿入方向奥側に形成され、前記フェルール部を前記スリーブ部に対して相対回転させることで、前記突状ロック部に係合可能な凹状被ロック部である、光コネクタ装置。
【請求項３】
請求項２記載の光コネクタ装置であって、
前記フェルール部に回転止ロック部が形成されると共に前記スリーブ部に回転止被ロック部が形成され、前記突状ロック部と凹状被ロック部とが係合する位置まで、前記フェルール部を前記スリーブ部に対して相対回転させた状態で、回転止ロック部と回転止被ロック部とが回転止状に係合する、光コネクタ装置。
【請求項４】
請求項２又は請求項３記載の光コネクタ装置であって、
前記被ロック部と前記突状ロック部のうち少なくとも一方が、前記フェルール部を前記スリーブ部に対して相対回転させるのに伴って、前記素子側光コネクタ側の部材と前記ファイバ側光コネクタ側の部材とが強く当接する方向に、前記突状ロック部と前記被ロック部とを相対移動させるテーパ面を有している、光コネクタ装置。
【請求項５】
光素子を収容保持した素子側光コネクタに接続されるファイバ側光コネクタであって、
光ファイバケーブル端部を保持するフェルール部と、前記フェルール部の外周囲に形成されたロック部と、
を備えたファイバ側光コネクタ。
【請求項６】
光ファイバケーブルを保持したファイバ側光コネクタに接続される素子側光コネクタであって、
光素子を収容保持する素子収容部と、前記光素子の光結合面の前方に延びる略筒状のスリーブ部と、前記スリーブ部の外周囲に形成された被ロック部と、
を備えた素子側光コネクタ。
【発明の詳細な説明】
【技術分野】
【０００１】
本発明は、ＯＡ、ＦＡや車載機器等の光通信分野で用いられる光コネクタ装置等に関連するものである。
【背景技術】
【０００２】
光素子と光ファイバケーブルとの光学的な結合を、光素子を収容保持する素子側光コネクタと、光ファイバケーブル端部を保持するファイバ側光コネクタとのコネクタ接続により、行うものがある。
【０００３】
この場合、ファイバ側光コネクタに、光ファイバ端部を保持する略筒状のフェルールが形成されると共に、素子側光コネクタに、当該フェルールを導入可能なスリーブ部が形成されている。そして、ファイバ側光コネクタと素子側光コネクタとをコネクタ接続すると、フェルールがスリーブ部内に挿入されることで、光ファイバと光素子との光軸位置合せが行われるようになっている。
【０００４】
また、ファイバ側光コネクタと素子側光コネクタとをコネクタ接続した状態で、その接続状態を機械的に保持する必要がある。
【０００５】
このため、従来では、ファイバ側光コネクタのうちフェルールの外回りを囲うハウジング部分にロック部を形成すると共に、素子側光コネクタのうちスリーブ部の外回りを囲うハウジング部分に被ロック部を形成し、これらロック部と被ロック部とを係合させることによって、両コネクタの引抜き強度保持を図っていた。
【０００６】
【特許文献１】特開２００１−２９６４５５号公報
【発明の開示】
【発明が解決しようとする課題】
【０００７】
しかしながら、上述のような光コネクタでは、フェルールやスリーブ部の外回りのハウジングにロック部、被ロック部を形成しているため、全体的に大型なものになってしまう。
【０００８】
ここで、近年、素子側光コネクタが実装される実装基板上に、種々の電気・電子部品が搭載されるようになり、当該実装基板で実装の高密度化が必須となった。そして、このような事情から、光コネクタについても、小型化が強く要請されるようになっている。
【０００９】
そこで、本発明は、光コネクタの小型化を図ることを目的とする。
【課題を解決するための手段】
【００１０】
この発明の第１の態様は、光ファイバケーブルと光素子とを光学的に結合するための光コネクタ装置であって、前記光ファイバケーブル端部を保持するフェルール部と、前記フェルール部の外周囲に形成されたロック部とを有するファイバ側光コネクタと、前記光素子を収容保持する素子収容部と、前記フェルール部の端部に露出する光ファイバ端面を、前記光素子の光結合面に対向させた姿勢で、前記フェルール部を挿入保持可能なスリーブ部と、前記スリーブ部の外周囲に形成され前記ロック部と係合可能な被ロック部とを有する素子側光コネクタと、を備えたものである。
【００１１】
なお、前記ロック部は、前記フェルール部の外周囲に突設された突状ロック部であり、前記スリーブ部の内周囲に前記突状ロック部をその軸方向に沿って挿入可能なロック溝が形成され、前記被ロック部は、前記スリーブ部の内周側であって前記ロック溝に対する前記突状ロック部の挿入方向奥側に形成され、前記フェルール部を前記スリーブ部に対して相対回転させることで、前記突状ロック部に係合可能な凹状被ロック部としてもよい。
【００１２】
さらに、前記フェルール部に回転止ロック部が形成されると共に前記スリーブ部に回転止被ロック部が形成され、前記突状ロック部と凹状被ロック部とが係合する位置まで、前記フェルール部を前記スリーブ部に対して相対回転させた状態で、回転止ロック部と回転止被ロック部とが回転止状に係合するものであってもよい。
【００１３】
さらに、前記被ロック部と前記突状ロック部のうち少なくとも一方が、前記フェルール部を前記スリーブ部に対して相対回転させるのに伴って、前記素子側光コネクタ側の部材と前記ファイバ側光コネクタ側の部材とが強く当接する方向に、前記突状ロック部と前記被ロック部とを相対移動させるテーパ面を有していてもよい。
【００１４】
また、この発明の第２の態様は、光素子を収容保持した素子側光コネクタに接続されるファイバ側光コネクタであって、光ファイバケーブル端部を保持するフェルール部と、前記フェルール部の外周囲に形成されたロック部と、を備えたものである。
【００１５】
さらに、この発明の第３の態様は、光ファイバケーブルを保持したファイバ側光コネクタに接続される素子側光コネクタであって、光素子を収容保持する素子収容部と、前記光素子の光結合面の前方に延びる略筒状のスリーブ部と、前記スリーブ部の外周囲に形成された被ロック部と、を備えたものである。
【００１６】
なお、上記第１の態様〜第３の態様において、フェルール部外周囲のロック部とスリーブ部外周委の被ロック部との凹凸関係は、他構成との関係上支障無い限り、どちらが凹形状であっても凸形状であってもよい。
【発明の効果】
【００１７】
この発明の第１の態様に係る光コネクタ装置によると、ファイバ側光コネクタのフェルール部の外周囲に形成されたロック部と、素子側光コネクタのスリーブ部の外周囲に形成された被ロック部とが係合することで、両コネクタ接続の抜止めが図られる。このため、各光コネクタの小型化を図ることができる。
【００１８】
また、ロック部は、突状ロック部であり、前記スリーブ部の内周囲にロック溝が形成され、また、被ロック部は、フェルール部をスリーブ部に対して相対回転させることで、突状ロック部に可能な凹状被ロック部に形成されていると、フェルール部をスリーブ部に対して相対回転させることで、突状ロック部と凹状被ロック部とがより確実に係合し、両光コネクタ接続のより確実な抜止めが図られる。
【００１９】
さらに、フェルール部に回転止ロック部が形成されると共にスリーブ部に回転止被ロック部が形成されたものにあっては、突状ロック部と凹状被ロック部とが係合した状態で、回転止ロック部と回転止被ロック部とが係合して、フェルール部とスリーブ部との相対回転が防止されるため、両光コネクタ接続のより確実な抜止めが図られる。
【００２０】
また、被ロック部と突状ロック部のうち少なくとも一方が、テーパ面を有していると、前記フェルール部を前記スリーブ部に対して相対回転させるのに伴って、前記素子側光コネクタ側の部材と前記ファイバ側光コネクタ側の部材とが強く当接するため、両光コネクタが接続された状態でのがたつきをより確実に防止できる。
【００２１】
この発明の第２の態様に係るファイバ側光コネクタによると、フェルール部の外周囲にロック部が形成されているため、その小型化を図ることができる。
【００２２】
この発明の第３の態様に係る素子側光コネクタによると、スリーブ部の外周囲に被ロック部が形成されているため、その小型化を図ることができる。
【発明を実施するための最良の形態】
【００２３】
｛第１の実施の形態｝
以下、この発明の第１の実施の形態に係る光コネクタ装置について説明する。図１は、光コネクタ装置を示す一部断面側面図である。
【００２４】
同図に示すように、この光コネクタ装置は、光ファイバケーブル１０と光素子１５とを光学的に接続する装置であり、ファイバ側光コネクタ２０と、素子側光コネクタ３０とを備えている。
【００２５】
ファイバ側光コネクタ２０は、光ファイバケーブル１０を保持するものであり、フェルール部２２とロック部２６とを備えており、樹脂等により形成されている。
【００２６】
フェルール部２２は、光ファイバケーブル１０の端部を保持する部材であり、太径部２４の一端側に細径部２３が突出形成されてなる。細径部２３内には、その軸方向に沿って光ファイバケーブル１０の先端部に露出するファイバ芯線部１１を収容保持可能なファイバ収容孔部２３ｈが形成されている。また、太径部２４内には、その軸方向に沿って、光ファイバケーブル１０の被覆部１２であって上記ファイバ芯線部１１の手前部分を収容保持可能なケーブル保持孔部２４ｈが形成されている。これらファイバ収容孔部２３ｈとケーブル保持孔部２４ｈとは、同一直線上に連設されている。
【００２７】
そして、光ファイバケーブル１０の端部を、フェルール部２２の後方からその内部に挿入し、露出したファイバ芯線部１１をファイバ収容孔部２３ｈ内に、その手前の被覆部１２の部分をケーブル保持孔部２４ｈ内に収容する。この状態で、接着剤や所定のストッパ等を用いて、光ファイバケーブル１０の端部がフェルール部２２に収容保持される。
【００２８】
また、このフェルール部２２の外周囲には、ロック部２６が形成されている。
【００２９】
ここでは、ロック部２６は、太径部２４のうち細径部２３側端部からその細径部２３の先端側に向けて延びる延出弾性片２６ａと、その延出弾性片２６ａの先端部に内向き突出状に形成された凸部２６ｂとを備えている。凸部２６ｂは、延出弾性片２６ａの先端側に向けて順次突出寸法が小さくなる形状に形成されている。本実施形態では、ロック部２６は、フェルール部２２の中心軸を挟んで２カ所に形成されている。
【００３０】
素子側光コネクタ３０は、発光ダイオード等の発光素子やフォトダイオードやフォトトランジスタ等の受光素子等の光素子１５を保持するものであり、素子収容部３１と、スリーブ部３４と、被ロック部３６とを備えており、樹脂等で形成されている。
【００３１】
素子収容部３１は、光素子１５を収容保持可能な収容凹部３１ｈを有する筺状に形成されている。光素子１５は、そのリード部１６を素子収容部３１の下方に垂設させる状態で、素子収容部３１内に収容保持される。そして、その素子収容部３１の下方に垂設されたリード部１６を実装基板Ｐに形成された配線パターンに適宜半田付けすることで、本素子側光コネクタ３０が当該実装基板Ｐに実装固定される。なお、光素子１５からの電磁波、又は、光素子１５への電磁波を遮蔽するため、素子収容部３１部分は導電性樹脂等の導電性部材で形成されていることが好ましい。
【００３２】
スリーブ部３４は、上記フェルール部２２を挿入可能な略筒状に形成されている。このスリーブ部３４内に、上記素子収容部３１内に収容保持された光素子１５の光結合面１５ａ（発光面又は受光面）が臨むようになっている。
【００３３】
そして、上記フェルール部２２をスリーブ部３４内に挿入することで、フェルール部２２端部に露出するファイバ芯線部１１の端面が、光素子１５の光結合面１５ａに近接対向配置されて、両者の光学的な結合がなされるようになっている。
【００３４】
また、このスリーブ部３４の外周囲に、上記ロック部２６と対応する被ロック部３６が形成されている。
【００３５】
被ロック部３６は、スリーブ部３４の外周面より突出状に形成された凸形状であり、スリーブ部３４の先端方向に向けて順次突出寸法が小さくなる形状に形成されている。
【００３６】
そして、両光コネクタ２０，３０をコネクタ接続するにあたっては、上記フェルール部２２をスリーブ部３４内に挿入する。すると、その挿入途中で、ロック部２６の凸部２６ｂと被ロック部３６とが摺接し、ロック部２６の延出弾性片２６ａがスリーブ部３４の外側に弾性変形する。さらにフェルール部２２を奥に押込んで、フェルール部２２端部のファイバ芯線部１１の端面が光素子１５の光結合面１５ａに近接対向配置された状態で、ロック部２６の凸部２６ｂが被ロック部３６を乗越えて、延出弾性片２６ａが原形に弾性復帰し、ロック部２６の凸部２６ｂと被ロック部３６とが抜止め状に係合することになる。
【００３７】
このように構成された光コネクタ装置によると、ファイバ側光コネクタ２０のフェルール部２２の外周囲に形成されたロック部２６と、素子側光コネクタ３０のスリーブ部３４の外周囲に形成された被ロック部３６とが係合することで、両コネクタ２０，３０接続の抜止め図られる。
【００３８】
このため、従来のように、フェルール部２２やスリーブ部３４の外周囲に設けたハウジングに、ロック機構等を設ける必要が無く、各光コネクタ２０，３０の小型化を図ることができる。また、このように光コネクタ２０，３０の小型化を図ることができる結果、実装基板の高密度集積化に貢献する。
【００３９】
｛第２の実施の形態｝
この発明の第２の実施の形態に係る光コネクタ装置について説明する。図２は光コネクタ装置を示す断面図であり、図３（ａ）はファイバ側光コネクタの正面図、図３（ｂ）は同ファイバ側光コネクタの側面図、図４（ａ）は素子側光コネクタの側面図、図４（ｂ）は素子側光コネクタの正面図である。
【００４０】
この光コネクタ装置は、光ファイバケーブル１０と光素子１５とを光学的に接続する装置であり、ファイバ側光コネクタ１２０と、素子側光コネクタ１３０とを備えている。
【００４１】
ファイバ側光コネクタ１２０は、光ファイバケーブル１０を保持するものであり、フェルール部１２２と突状ロック部１２６と回転止ロック部１２８を備えている。このファイバ側光コネクタ１２０は、例えば樹脂により形成されている。
【００４２】
フェルール部１２２は、光ファイバケーブル１０の端部を保持する略筒状部材である。このフェルール部１２２の一端部内には、光ファイバケーブル１０の先端部に露出するファイバ芯線部１１を収容保持可能なファイバ収容孔部１２３ｈが形成されている。また、フェルール部１２２の他端部内には、光ファイバケーブル１０の被覆部１２であって上記ファイバ芯線部１１の手前部分を収容保持可能なケーブル保持孔部１２４ｈが形成されている。これらこれらファイバ収容孔部１２３ｈとケーブル保持孔部１２４ｈとは、フェルール部１２２の中心軸に沿って同一直線上に連設されている。
【００４３】
そして、上記第１実施形態と同様の態様にて、光ファイバケーブル１０の端部が本フェルール部１２２に収容保持される。
【００４４】
また、このフェルール部１２２の外周囲に突状ロック部１２６が形成されている。本実施形態では、突状ロック部１２６は、フェルール部１２２の先端部外周面の両側部２カ所に突出形成されている。各突状ロック部１２６は、フェルール部１２２の外周面より略直方体状に突出する形状に形成されている。
【００４５】
また、回転止ロック部１２８は、フェルール部１２２の基端部からフェルール部１２２の外方へ延びる支持片１２８ａと、支持片１２８ａの先端部からフェルール部１２２の先端側に向けて延びる延設片１２８ｂとを備えた略Ｌ字形状に形成されている。
【００４６】
延設片１２８ｂの先端部は、素子側光コネクタ１３０の回転止被ロック部１３８に達する程度の長さに形成されている。また、延設片１２８ｂの先端部は、その一側側に向けて順次薄肉となる正面視略三角形状のロック端部１２８ｃに形成されている。
【００４７】
この回転止ロック部１２８は、フェルール部１２２の中心軸を挟んで２カ所に形成されており、また、各ロック端部１２８ｃは、フェルール部１２２の中心軸を挟んで回転対称形状に形成されている。
【００４８】
素子側光コネクタ１３０は、光素子１５を保持するものであり、素子収容部１３１と、スリーブ部１３４と、凹状被ロック部１３６と、回転止被ロック部１３８とを備えている。この素子側光コネクタ１３０は、樹脂等で形成されている。電磁波を遮蔽するため、素子収容部１３１は、導電性樹脂等の導電性部材で形成されることが好ましい。
【００４９】
素子収容部１３１は、光素子１５を収容保持可能な収容凹部１３１ｈを有している。
【００５０】
より具体的には、収容凹部１３１ｈの背面側及び下側は開口している。そして、その背面側開口を通じて、光素子１５を収容凹部１３１ｈ内に収容した状態で、その背面側開口を蓋部１３１Ｃにて閉塞する。これにより、リード部１６を素子収容部１３１の下方に垂設させた状態で、光素子１５が素子収容部１３１内に収容保持される。
【００５１】
また、その素子収容部１３１の下方に垂設されたリード部１６を実装基板に形成された配線パターンに適宜半田付けすることで、本素子側光コネクタ１３０が当該実装基板に実装固定される。
【００５２】
スリーブ部１３４は、上記フェルール部１２２を挿入可能な略筒状に形成されている。このスリーブ部１３４内に、上記素子収容部３１内に収容保持された光素子１５の光結合面１５ａ（発光面又は受光面）が臨むようになっている。
【００５３】
また、このスリーブ部１３４の内周面には、その軸方向に沿ってロック溝１３４ｇが形成されている。ここでは、ロック溝１３４ｇは、上記突状ロック部１２６に対応して２カ所に形成されている。各ロック溝１３４ｇは、それぞれ突状ロック部１２６をスリーブ部１３４の軸方向に沿って挿通可能な凹溝形状を有している。
【００５４】
また、スリーブ部１３４の内周面基端の部位１３４ａが、それよりも先端側の小径部位１３４ｂよりも大きな径を持つ大径部位１３４ａに形成されており、その小径部位１３４ｂと大径部位１３４ａとの環状段差によって凹状被ロック部１３６が形成されている。
【００５５】
上記各ロック溝１３４ｇは、スリーブ部１３４内の基端側で、本凹状被ロック部１３６に達している。換言すれば、凹状被ロック部１３６は、スリーブ部１３４の外周部基端側、即ち、スリーブ部１３４の内周側であって上記ロック溝１３４ｇに対する突状ロック部１２６の挿入方向奥側に形成されている。
【００５６】
そして、各突状ロック部１２６を各ロック溝１３４ｇに嵌め込むようにしつつ、上記フェルール部１２２をスリーブ部１３４内に挿入する。次に、ファイバ芯線部１１の端面が、光素子１５の光結合面１５ａに対向して配設されて、両者の光学的な結合がなされると共に、各突状ロック部１２６が、各ロック溝１３４ｇを通って、凹状被ロック部１３６を超える位置に達するまで、上記フェルール部１２２をスリーブ部１３４内に挿入する。この状態で、フェルール部１２２とスリーブ部１３４とをそれらの中心軸を中心に相対回転させると、各突状ロック部１２６が凹状被ロック部１３６に係合し、両コネクタ１２０，１３０の抜止めが図られる。
【００５７】
また、スリーブ部１３４の外周囲基端側に、上記各回転止ロック部１２８に対応して、２つの回転止被ロック部１３８が形成されている。そして、各突状ロック部１２６が各ロック溝１３４ｇ内又はその延長上に位置する状態では、各回転止被ロック部１３８と各回転止ロック部１２８とは係合せず、この状態からフェルール部１２２とスリーブ部１３４とを相対回転させた状態では、回転止被ロック部１３８と回転止状に係合するようになっている。
【００５８】
より具体的には、各回転止被ロック部１３８は、スリーブ部１３４の外周囲周りに突出形成された２つの回止凸部１３９ａ，１３９ｂを備えている。そして、各突状ロック部１２６が各ロック溝１３４ｇ内又はその延長上に位置する状態では、両回止凸部１３９ａ，１３９ｂは、各回転止ロック部１２８に対して干渉しない位置及び形状に形成されている（図４（ｂ）の１点鎖線参照）。
【００５９】
また、各回転止ロック部１２８の間には、回転止ロック部１２８の先端部のロック端部１２８ｃを、回転止状に保持可能な空間が形成されている。そして、図４（ｂ）の矢符に示すように、フェルール部１２２とスリーブ部１３４とを相対回転させて、各突状ロック部１２６を凹状被ロック部１３６とを係合させようとすると、各回転止ロック部１２８の先端部のロック端部１２８ｃが各一方側の回止凸部１３９ａに摺接して、各延設片１２８ｂが外方に弾性変形する。さらに大きくフェルール部１２２とスリーブ部１３４とを相対回転させると、ロック端部１２８ｃが各一方側の回止凸部１３９ａを乗越えて、各延設片１２８ｂが原形復帰し、これにより、各ロック端部１２８ｃが、各回止凸部１３９ａ，１３９ｂ間に嵌り込むようにして回転止被ロック部１３８と回転止状に係合する（図４（ｂ）の２点鎖線参照）。
【００６０】
以上のように構成された光コネクタ装置によると、上記第１実施形態における効果に加えて、フェルール部１２２をスリーブ部１３４に対して相対回転させることで、突状ロック部１２６と凹状被ロック部１３６とがより確実に係合するため、両光コネクタ１２０，１３０接続のより確実な抜止めが図られるという効果を得ることができる。
【００６１】
さらに、フェルール部１２２とスリーブ部１３４との相対回転により、突状ロック部１２６と凹状被ロック部１３６とを係合させた状態で、回転止ロック部１２８と回転止被ロック部１３８との係合によりフェルール部１２２とスリーブ部１３４との相対回転が防止されるため、両光コネクタ２０，３０のより確実な抜止めが図られる。
【００６２】
また、スリーブ部１３４の外周側で、回転止ロック部１２８と回転止被ロック部１３８との係合がなされる構成であるため、外側からの目視によって、回転止ロック部１２８と回転止被ロック部１３８との係合の有無を確認し、もって、突状ロック部１２６と凹状被ロック部１３６との係合の有無を確認できる。従って、突状ロック部１２６と凹状被ロック部１３６との係合し忘れ等を防止できる。
【００６３】
｛第３の実施の形態｝
この発明の第３の実施の形態に係る光コネクタ装置について説明する。なお、第２実施形態において説明したものと同様構成要素については同一符号を付してその説明を省略し、相違点を中心にして説明する。
【００６４】
図５は、第３実施形態に係るファイバ側光コネクタ２２０を示す側面図である。
【００６５】
このファイバ側光コネクタ２２０では、上記突状ロック部１２６に対応する突状ロック部２２６の基端側面（突状ロック部２２６の挿入方向とは反対側の面）が、フェルール部１２２の外周方向に対して斜めになる第１テーパ面２２６ａに形成されている。
【００６６】
図６は第３実施形態に係る素子側光コネクタを背面側（収容凹部３１ｈ側）からみた状態を示す背面図であり、図７は図６のＶＩＩ−ＶＩＩ線断面図である。
【００６７】
この素子側光コネクタ２３０では、上記凹状被ロック部１３６に対応する２つの弧状の凹状被ロック部２３６の一部が、スリーブ部１３４の内周方向に対して斜めになる第２テーパ面２３６ａに形成されている。ここでは、テーパ面２３６ａは、スリーブ部１３４に対するフェルール部１２２の回転方向に向けて順次大きく突出する形状に形成されている。
【００６８】
そして、光コネクタ装置において、上記第２実施形態の光コネクタ装置と同様に、両光コネクタ２２０，３３０の接続を行うと次のようになる。
【００６９】
すなわち、フェルール部１２２をスリーブ部１３４内の奥に挿入し、各突状ロック部２２６が各ロック溝１３４ｇ延長上に位置している状態から、フェルール部１２２とスリーブ部１３４とを相対回転させると、その相対回転に伴って、上記第１テーパ面２２６ａと第２テーパ面２３６ａとの摺接により、フェルール部１２２がスリーブ部１３４内の奥へ引込まれる方向に、即ち、両光コネクタ２２０，２３０が近接する方向に移動する。これにより、両光コネクタ２２０，２３０の部材が強く当接する方向に付勢される。ここでは、スリーブ部１３４の先端部と支持片１２８ａとが強く当接する方向に付勢される。
【００７０】
このため、各突状ロック部１２６と各凹状被ロック部１３６とが係合するようにして両コネクタ２２０，２３０が接続された状態で、上記第１テーパ面２２６ａと第２テーパ面２３６ａとの当接により、スリーブ部１３４の先端部と支持片１２８ａとが強く当接する方向に付勢された状態となっている。このため、両光コネクタ２２０，２３０間のがたつき、特に、フェルール部１２２の軸方向のがたつき有効に防止することができる。このように光コネクタ２２０，２３０間のがたつきを防止できる結果、ここでの接続損失を小さく安定させることができる。
【００７１】
なお、上記テーパ面２２６ａ，２３６ａは一方側のみであってもよいし、また、上記形状に限られない。また、両光コネクタ２２０，２３０が当接する部位は、上記形態に限られない。要するに、フェルール部１２２とスリーブ部１３４との相対回転によって、両光コネクタ２２０，２３０間を当該回転方向とは異なる方向に移動（たとえば、フェルール部１２２の軸方向に沿って近接又は離隔移動）させて、両光コネクタ２２０，２３０間の他部位の当接を強めることができる種々の構成を採用することができる。
【図面の簡単な説明】
【００７２】
【図１】この発明の第１の実施の形態に係る光コネクタ装置を示す一部断面側面図である。
【図２】この発明の第２の実施の形態に係る光コネクタ装置を示す断面図である。
【図３】図３（ａ）はファイバ側光コネクタの正面図、図３（ｂ）は同ファイバ側光コネクタの側面図である。
【図４】図４（ａ）は素子側光コネクタの側面図、図４（ｂ）は素子側光コネクタの正面図である。
【図５】第３実施形態に係るファイバ側光コネクタを示す側面図である。
【図６】第３実施形態に係る素子側光コネクタを示す背面図である。
【図７】図６のＶＩＩ−ＶＩＩ線断面図である。
【符号の説明】
【００７３】
１０  光ファイバケーブル
１５  光素子
２０，１２０，２２０  ファイバ側光コネクタ
２２，１２２  フェルール部
２６  ロック部
３０，１３０，２３０  素子側光コネクタ
３１，１３１  素子収容部
３４，１３４  スリーブ部
３６  被ロック部
１２６，２２６  突状ロック部
１２８  回転止ロック部
１３４ｇ  ロック溝
１３６，２３６  凹状被ロック部
１３８  回転止被ロック部
２２６ａ  第１テーパ面
２３６ａ  第２テーパ面
【図１】
2005250027.tif 000003
【図２】
2005250027.tif 000004
【図３】
2005250027.tif 000005
【図４】
2005250027.tif 000006
【図５】
2005250027.tif 000007
【図６】
2005250027.tif 000008
【図７】
2005250027.tif 000009